(57)【要約】【課題】  同期パターン検出の信頼性を向上させる。【解決手段】  同期検出回路１は、シリアルに入力されてくるＬＰＰデータ及びウォブルデータから同期パターンを検出する。第１フレームカウンタ３は、同期検出回路１で最初の同期パターンが検出された時点でリセットされ、次の同期パターンが検出されるまでの期間でデータのフレーム数をカウントする。比較回路４は、第１フレームカウンタ３のカウント値を１セクタ分のフレーム数に対応する第１基準値Ｓと比較する。判定回路５は、比較回路４の比較結果に基づいて検出された同期パターンの正否を判定する。【選択図】  図１
2004259420.tif 000002
【特許請求の範囲】
【請求項１】
同期パターンが所定の周期で割り当てられるランドプリピットを再生した再生データをデコードするデコード装置において、
入力される前記再生データを前記同期パターンに対応する同期データと比較し、両データの一致を検出して検出信号を出力する検出回路と、
前記検出回路からの検出信号に応じてカウント動作し、前記同期パターンの検出周期に対応したカウント値を得るカウンタと、
前記カウンタのカウント値を前記同期パターンの割り当て周期に応じた基準値と比較し、前記検出回路で検出された同期パターンの正否を判定する判定回路と、を備えたことを特徴とするデコード装置。
【請求項２】
請求項１に記載のデコード装置において、
前記再生データが所定ビット数毎にフレーム単位にまとめられると共に、複数フレーム分の再生データで１セクタ分の再生データを構成し、１セクタ分の前記再生データ毎に前記同期パターンが割り当てられ、
前記比較回路は、１セクタ分のフレーム数に対応する値を前記基準値とすることを特徴とするデコード装置。
【請求項３】
請求項１又は請求項２に記載のデコード装置において、
前記カウンタは、前記検出回路の検出信号に応答してカウント値がリセットされることを特徴とするデコード装置。
【請求項４】
請求項２に記載のデコード装置において、
前記検出回路は、複数のフレーム分の再生データを、前記同期パターンが付されるフレーム及びその前後のフレームのデータパターンと比較し、比較結果に応じて前記検出信号を出力することを特徴とするデコード装置。
【発明の詳細な説明】
【技術分野】
【０００１】
本願発明は、光ディスクから読み出されるＬＰＰから同期パターンを検出するのに適したデコード装置に関する。
【背景技術】
【０００２】
従来より、記録媒体にデータを記録するデータ記録装置として、記録媒体に光ディスクを用いる光ディスク装置がある。このような光ディスク装置には、高密度記録が可能なＤＶＤ−Ｒ( Digital Versatile Disc-Recordable)ディスク、ＤＶＤ−ＲＷ(DVD-ReWritable)ディスクを用いるＤＶＤ−Ｒ／ＲＷシステムが知られている。図６は、ＤＶＤ−ＲディスクやＤＶＤ−ＲＷディスクで扱われるＤＶＤデータの論理フォーマットを示す模式図である。ＤＶＤデータは、３２ビット長のＳＹＮＣパターン及び１４５６ビット長の記録データから１フレームデータが構成される。そして、フレーム０からフレーム２５までの計２６個のフレームデータで１セクタデータが構成され、２６フレームデータが偶数フレーム、奇数フレームに区分けされて２列ラ１３行のデータ配列が構成される。
【０００３】
このような論理フォーマットを有するＤＶＤデータを扱うＤＶＤ−Ｒ／ＲＷシステムでは、データ未記録のディスクを扱う場合であっても、システム側でディスク上のトラックを正しく認識できるように、案内溝となるグルーブトラックがディスクに作り込まれている。このグルーブトラックには、一般にウォブルと称される微少なうねり構造が形成され、また、このグルーブトラックに隣接するランドトラックには、ランドプリピット（ＬＰＰ）と称されるアドレスピットが形成される。これらウォブル及びＬＰＰをレーザがトレースすることで読み出されるウォブル信号及びＬＰＰ信号は、ディスク上の記録アドレス情報やデータ書き込みのための同期パターンを示し、これらウォブル信号及びＬＰＰ信号がデコードされてアドレス情報や同期パターンが取り出されることにより、データ未記録のディスクに対して決められた記録領域に正確にデータを書き込むことができる。
【０００４】
図７は、ウォブル信号及びＬＰＰ信号の一例を示す波形図である。ウォブル信号は、一定の周期性を有する信号であり、１フレーム分のデータ記録領域長に対して８周期分の周期が割り当てられる。換言すれば、ディスクに形成されるウォブルは、１フレーム分のトラック長をレーザがトレースする間にウォブル信号が振幅を８回繰り返すように形成されている。
【０００５】
ＬＰＰ信号は、ウォブル信号に重畳して現れる髭状の信号であり、１フレーム分のウォブル信号の最初の３周期と重なるように現れる。このＬＰＰ信号は、図７に示すようなアナログ波形で読み出された後、髭状の信号が存在するか否かに基づいて２値化される。そして、１フレームで８ビットのビットパターンを構成し、その先頭３ビットが１セットで書き込み制御に必要な情報を示すものとなる。このＬＰＰ信号は、各フレームの先頭位置の全てに現れるのではなく、フレーム０と１、２と３、４と５、…、２４と２５のように連続する２フレームのうち、偶数フレーム、又は、奇数フレームの何れか一方のみに現れる。この３ビットのビットパターンは、１セクタを構成する２６フレームのうち、フレーム０、フレーム１の２つの先頭フレームで同期パターンを構成し、その他のフレームでディスクの記録アドレス情報を構成する。
【０００６】
同期パターンにおいては、フレーム０、フレーム１で同期パターンが互いに異なり、それぞれ、フレーム０で「１、１、１」、フレーム１で「１、１、０」が割り当てられる。このため、ＤＶＤ−Ｒシステムでは、「１、１、１」、又は、「１、１、０」と一致するＬＰＰ信号を取得したとき、その位置がディスク上に割り当てられた１セクタ分のデータ記録領域の先頭であると判断することができる。
【０００７】
一方、記録アドレス情報においては、３ビットのＬＰＰ信号が、例えば、「１、０、０」?「０」、「１、０、１」?「１」のように、予め設定される変換テーブルに従って１ビットのデータに変換され、フレーム０、または、フレーム１を除く１２フレームで１２ビットのデータを構成する。そして、この１２ビットデータがディスク上のトラック情報や記録アドレス情報を示すデータとなる。
【０００８】
これら３ビットのデータは、その１ビット目に必ず「１」が記録されており、ＤＶＤ−Ｒシステムでは、この１ビット目に合わせて記録対象データのＳＹＮＣパターンを記録するようにしている。
【特許文献１】特開２００１−２３６７３８号公報
【発明の開示】
【発明が解決しようとする課題】
【０００９】
上述したＤＶＤ−Ｒ／ＲＷシステムでは、ディスクに記録されるＬＰＰを読み出して２値化し、２値化によって得られたＬＰＰデータに基づいて書き込み制御用のクロックの生成やディスク上の記録アドレスの管理を行っている。これにより、たとえデータ未記録のディスクであっても、論理フォーマットに従う正しい順序で正しい記録位置にデータを記録していくことができる。しかしながら、ディスクから再生されるＬＰＰデータは、レーザの発熱等の影響でビットが欠落したり、或いは、ノイズの影響で別のビットパターンを同期パターンと誤認識する場合がある。このような場合、システム側でディスクの同期パターンやアドレス情報を正しく取得することができず、データを正しく書き込むことができないといった問題が生じていた。
【００１０】
そこで、本願発明は、ＬＰＰの欠落や誤読み出しがあった場合であっても、ＬＰＰを正しくデコードすることができ、システム全体としての信頼性を向上させるデコード装置を提供することを目的とする。
【課題を解決するための手段】
【００１１】
本願発明は、上述の課題に鑑みてなされたものであり、その特徴とするところは、同期パターンが所定の周期で割り当てられるランドプリピットを再生した再生データをデコードするデコード装置において、入力される前記再生データを前記同期パターンに対応する同期データと比較し、両データの一致を検出して検出信号を出力する検出回路と、前記検出回路からの検出信号に応じてカウント動作し、前記同期パターンの検出周期に対応したカウント値を得るカウンタと、前記カウンタのカウント値を前記同期パターンの割り当て周期に応じた基準値と比較し、前記検出回路で検出された同期パターンの正否を判定する判定回路と、を備えたことにある。
【発明の効果】
【００１２】
本願発明によれば、ノイズやビット欠落の影響により、本来、同期パターンでない別のデータが誤って同期パターンとして検出されたとしても、これを誤って同期パターンと認識することがなく、同期パターンの誤認識を確実に防止することができる。
【発明を実施するための最良の形態】
【００１３】
図１は、本願発明のデコード装置の構成を示すブロック図である。ここに示すデコード装置は、同期検出回路１、第１ウォブルカウンタ２、第１フレームカウンタ３、比較回路４、判定回路５、第２ウォブルカウンタ６及び第２フレームカウンタ７から構成される。
【００１４】
同期検出回路１は、シフトレジスタ１ａ、ＲＯＭ１ｂ及び判定部１ｃから構成され、ＤＶＤディスクからの読み取り信号から抽出回路（図示せず）で抽出されるランドプリピット（ＬＰＰ）データ及びウォブルデータから同期パターンを検出する。
【００１５】
シフトレジスタ１ａは、連続して入力されるウォブルデータ及びＬＰＰデータを取り込み、ＬＰＰデータの例えば、６フレーム分、計４８ビット分を格納する。ここで、ウォブルデータ及びＬＰＰデータは、２値化された状態でシフトレジスタ１ａに入力されており、ウォブルデータにおいては、ウォブル信号が所定のしきい値に基づいて規格化され、１フレームで８ビットのデータとなる。一方、ＬＰＰデータにおいては、２値化の際のサンプリング周波数がウォブルデータと同等の周波数に設定され、ＬＰＰ信号が検出されるか否かに応じて２値化がなされる。この結果、ＬＰＰデータは、ウォブルデータと同様に、１フレームで８ビットのデータとなり、最初の３ビットにおいて、同期パターン、或いは、記録アドレス情報を示す。尚、残りの５ビットに関しては、全て「０」となる。
【００１６】
ＲＯＭ１ｂは、読み出し専用の記憶媒体であり、３ビットの同期パターンに対応する同期データ、同期パターンが付されるフレーム及びその前後のフレームに対応するデータパターンを格納する。ＲＯＭ１ｂに格納されるデータは、ＬＰＰデータのデータパターンに対応して複数設定されるものであり、図２（ａ）にその一例を示す。図２（ａ）に示すデータパターンは、同期パターン「１、１、１」がフレーム０に付与され、他のフレームでアドレスパターン「１、０、Ｘ（Ｘは、「０」または「１」）」が偶数フレームに付与されるときに対応している。ここに示すパターンは、ｎ（ｎは整数）番目のセクタのフレーム０の先頭３ビット、ｎ−１番目のセクタのフレーム２５〜２１の各フレームの８ビット、ｎ−１番目のセクタのフレーム２０の後半５ビットに対応する。尚、先頭３ビットの同期パターンは、フレーム１にも同期パターン「１、１、０」が付与され得るため、また、アドレスパターンは、偶数フレームまたは奇数フレームの何れか一方のみに付与されるため、６フレーム分のデータパターンを保持する場合、ＲＯＭ１ｂには、図２（ａ）〜図２（ｈ）に示すような８パターンのデータが予め記憶される。
【００１７】
すなわち、図２においては第１行第１〜３列の３ビットがシフトレジスタ１ａに最新に取り込まれたフレームの同期信号であり、第１行第４列以降のビットが、前のフレームのアドレスパターンを含むＬＰＰ信号である。判定部１ｃは、シフトレジスタ１ａに格納されるデータ及びＲＯＭ１ｂに格納されるデータを取り込んで比較し、シフトレジスタ１ａ及びＲＯＭ１ｂに格納される両データの一致判定を行って、ＬＰＰデータから同期パターンを検出する。そして、同期パターンが検出されたときには、第１ウォブルカウンタ２、第１フレームカウンタ３に対して検出信号ＧＣを出力する。
【００１８】
第１ウォブルカウンタ２は、連続的に入力されるウォブルデータを取り込んで１ビット単位でカウントする。この第１ウォブルカウンタ２は、カウント動作範囲が「０」〜「１５」に設定され、２フレーム分のデータがカウントされてカウント値ＷＣが「１５」となった後、カウント値ＷＣが「０」にリセットされる。
【００１９】
第１フレームカウンタ３は、第１ウォブルカウンタ２の出力に応答してＬＰＰデータをフレーム単位でカウントする。この第１フレームカウンタ３は、第１ウォブルカウンタ２のカウント値ＷＣが「０」、又は、「８」を取る度に値がインクリメントされることで、フレーム数をカウントする。また、この第１フレームカウンタ３は、１セクタが２６フレームから構成されることからカウント動作範囲が「０」〜「２５」に設定され、１セクタ分のデータがカウントされてカウント値ＦＣが「２５」となった後、カウント値ＦＣが「０」にリセットされる。
【００２０】
比較回路４は、第１フレームカウンタ３のカウント値ＦＣを同期パターンの出現頻度に応じて設定される第１基準値Ｓと比較して比較信号ＨＳを出力する。ここで、第１基準値Ｓは、１セクタ分のフレーム数に応じて決定される値であり、フレームカウンタのカウント値ＦＣに対して「０」、または、「１」となる。これは、１セクタが２６フレームで構成されていると共に、同期パターンがフレーム０、或いは、フレーム１の何れか一方に記録されているからである。また、比較回路４は、第１ウォブルカウンタ２のカウント値ＷＣをフレーム０、フレーム１の先頭に対応する第２基準値Ｋと比較して比較信号ＨＳ’を出力する。ここで、第２基準値Ｋは、同期パターンがフレーム０、フレーム１の何れかのフレームの先頭に付与されることに基づいて設定されるものであり、第１ウォブルカウンタ２のカウント値ＷＣに対して「２」、または、「１０」となる。
【００２１】
判定回路５は、比較回路４の比較結果に基づいて、同期検出回路１で検出された同期パターンの正否を判定し、検出された同期パターンを正と判定したとき、リセット信号ＲＳを第２ウォブルカウンタ６及び第２フレームカウンタ７へ出力する。第２ウォブルカウンタ６及び第２フレームカウンタ７は、第１ウォブルカウンタ２及び第１フレームカウンタ３とそれぞれ同様の構成であり、入力されるウォブルデータを参照してフレーム数をカウントする。これら第２ウォブルカウンタ６及び第２フレームカウンタ７のうち、第２フレームカウンタ７においては、その出力がクロックとして、次段のライトタイミング発生回路（図示せず）へ出力される。尚、ライトタイミング発生回路は、データの書き込みに必要となる基準クロックを生成したり、ディスクのトラック位置に合わせて記録データの書
き込みタイミングを決定する回路である。
【００２２】
以上のような構成を有するデコード装置の動作を図３のフローチャートを参照しながら説明する。先ず、ステップＳ１では、連続的に入力されるＬＰＰデータの６フレーム分をシフトレジスタ１ａに格納する。このシフトレジスタ１ａへのデータの格納は、６フレーム分のデータが格納された後、新たなデータの入力に応じて順次書き換えられ、格納データが逐次更新されていく形で行われる。
【００２３】
ステップＳ２では、シフトレジスタ１ａに格納されるデータのうち、「１、１、１」、または、「１、１、０」である３ビットの同期パターンを含む６フレーム分のデータをＲＯＭ１ｂに格納されるデータパターンと比較する。このステップＳ２における比較処理においては、６フレーム分の計４８ビットのうち、第１〜第３列に含まれる３ビットと、その他第４〜第１６列とで異なる比較方法を用いる。具体的には、図４に示すように、第１〜第３列に含まれる３ビットにおいて、所定のパターン「１、１、１」または「１、１、０」と比較し、第４〜第１６列においては、各データを列単位に区分して各列毎にそれぞれのデータを比較する。そして、これらの比較結果に基づいて一致判定を行う。この判定処理においては、第４〜第１６列の各列毎の比較の際、一定の許容値を設けて判定を行い、例えば、１ビットの許容値を設けた場合、シフトレジスタ１ａに格納される第４列の３ビットとＲＯＭ１ｂに格納される第４列の３ビットとの間に１ビットの相違があったとしても、互いのデータが一致するものと判定する。一方、第１〜第３列の３ビットに関しては、同期データと完全に一致する場合にのみ、両データが一致するものと判定する。そして、第１〜第３列、第４〜第１６列のそれぞれで一致判定が得られた場合にのみ、次のステップに処理を移行する。
【００２４】
ステップＳ３では、ステップＳ２の一致判定に応答して、第１ウォブルカウンタ２及び第１フレームカウンタ３のリセット端子へ検出信号ＧＣを出力し、各カウンタのカウント値ＦＣ、ＷＣをリセットする。このとき、リセット動作に対して第１ウォブルカウンタ２の場合では、カウント値ＷＣが「２」にリセットされ、一方、第１フレームカウンタ３では、検出された同期パターンがフレーム０に対応する「１、１、１」のとき「０」にリセットされ、フレーム１に対応する「１、１、０」のとき「１」にリセットされる。そして、リセット後、各カウンタのカウント動作が開始される。
【００２５】
ステップＳ４では、順次更新されていくシフトレジスタ１ａのＬＰＰデータをＲＯＭ１ｂに格納されるデータと逐次比較し、ＬＰＰデータのなかから次の同期パターンを検出する。この２度目の検出においては、例えば、図５に示すように、シフトレジスタ１ａ及びＲＯＭ１ｂに格納されるデータを第１〜第１６の列単位に区分して列単位で互いのデータを比較して一致判定を行う。このステップＳ４では、各列毎に一定の許容値を設けて一致判定を行い、ＲＯＭ１ｂに格納されるデータと略一致するデータが得られた時点で、同期パターンを検出したものとみなす。そして、第１フレームカウンタ３のカウント値ＦＣがリセットされてから次にカウント値ＦＣが「１」となるまでに一致するデータが得られた場合、次のステップに処理を移行する。逆に、一致するデータが得られなかった場合、処理がステップＳ１に戻る。
【００２６】
ステップＳ５では、第１フレームカウンタ３のカウント値ＦＣを第１基準値Ｓと比較し、２回目の同期パターンが得られる期間が１セクタ分の期間に一致するかを判定する。また、これと同時に、第１ウォブルカウンタ２のカウント値ＷＣを第２基準値Ｋと比較し、同期パターンが得られるタイミングがフレーム０、またはフレーム１の先頭に一致しているかを判定する。そして、２つのカウント値ＦＣ、ＷＣと２つの基準値Ｓ、Ｋとの比較において、共に一致判定が得られた場合、続くステップＳ６に処理を移行し、逆に、何れの判定においても不一致、或いは、何れか一方が不一致であった場合、処理がステップＳ１に戻る。
【００２７】
ステップＳ６では、ステップＳ５で一致判定が得られた場合、ステップＳ２及びステップＳ５で検出された同期パターンの正否を判定する。即ち、このステップＳ６では、ステップＳ２の同期パターンの検出とは別に、再度、同期パターンの判定を行っている。そして、本来の同期パターンに対応するものであると判定した場合、第２ウォブルカウンタ６及び第２フレームカウンタ７のカウント値ＷＣ、ＦＣを共にリセットし、同期パターンに対して同期するクロック（第２フレームカウンタ７の出力）をライトタイミング発生回路へ供給する。
【００２８】
このように本願発明のデコード装置によれば、読み出されたＬＰＰデータから同期パターンを検出するのに加え、２回目の同期パターンが検出される期間が１セクタ分の期間に一致するか否かによって、検出された同期パターンの正否を判定する構成とした。これによれば、ＬＰＰデータのデータパターンと、同期パターンが読み出される期間の両方が本来の値と一致しなければ、検出された同期パターンが正しいものとは判定されない。このため、たとえＬＰＰにビット欠落があったり、ノイズによって別のデータが同期パターンと一致したとしても、パターン、または期間の何れかが一致しないため、同期パターンの誤認識を確実が防止することができる。
【００２９】
尚、本実施形態においては、同期検出回路１において、複数フレーム分のＬＰＰデータと、ＲＯＭ１ｂに格納されたデータとの比較判定を行い、この比較判定で一致判定が得られない限り、カウント値の比較ステップへ処理を移行しない構成としたが、これに限られるものではない。具体的には、同期検出回路１で、シリアルに入力されてくるＬＰＰデータを監視し、このＬＰＰデータの中から「１、１、１」又は「１、１、０」の同期データと一致する３ビットだけを検出する構成としても良い。この場合、一致する３ビットを検出した時点で、その３ビット以外のデータとは無関係にカウント値の比較ステップへ処理が移行される。このような構成であっても、ＬＰＰデータに同期パターンが存在し、且つ、２回目の同期パターンの検出期間でカウントされるカウント値が１セクタに対応する設
定値と一致した場合にのみ、そこで初めて、検出した同期パターンが正と判定されため、同期パターンの誤検出を十分に防止することができる。
【００３０】
また、本実施形態においては、デコード装置を備える装置としてＤＶＤ−Ｒ／ＲＷディスクを用いるＤＶＤ−Ｒ／ＲＷシステムを例示したが、これに限られるものではなく、ランドプリピット方式を用いる記憶媒体を採用するものであれば、十分に適用可能である。
【図面の簡単な説明】
【００３１】
【図１】本願発明の実施形態の構成を示すブロック図である。
【図２】ＲＯＭ１ｂに格納されるデータパターンの一例を示す図である。
【図３】図１の動作を説明するフローチャートである。
【図４】判定部１ｃの比較判定処理を説明する図である。
【図５】判定部１ｃの比較判定処理を説明する図である。
【図６】ＤＶＤデータの論理フォーマットを示す模式図である。
【図７】ＬＰＰ信号及びウォブル信号の一例を示す波形図である。
【符号の説明】
【００３２】
１：同期検出回路、１ａ：シフトレジスタ、１ｂ：ＲＯＭ、１ｃ：判定部、２：第１ウォブルカウンタ、３：第１フレームカウンタ、４：比較回路、５：判定回路、６：第２ウォブルカウンタ、７：第２フレームカウンタ
【図１】
2004259420.tif 000003
【図２】
2004259420.tif 000004
【図３】
2004259420.tif 000005
【図４】
2004259420.tif 000006
【図５】
2004259420.tif 000007
【図６】
2004259420.tif 000008
【図７】
2004259420.tif 000009
【手続補正書】
【提出日】平成16年3月2日(2004.3.2)
【手続補正１】
【補正対象書類名】明細書
【補正対象項目名】０００２
【補正方法】変更
【補正の内容】
【０００２】
従来より、記録媒体にデータを記録するデータ記録装置として、記録媒体に光ディスクを用いる光ディスク装置がある。このような光ディスク装置には、高密度記録が可能なＤＶＤ−Ｒ( Digital Versatile Disc-Recordable)ディスク、ＤＶＤ−ＲＷ(DVD-ReWritabl
e)ディスクを用いるＤＶＤ−Ｒ／ＲＷシステムが知られている。図６は、ＤＶＤ−ＲディスクやＤＶＤ−ＲＷディスクで扱われるＤＶＤデータの論理フォーマットを示す模式図である。ＤＶＤデータは、３２ビット長のＳＹＮＣパターン及び１４５６ビット長の記録データから１フレームデータが構成される。そして、フレーム０からフレーム２５までの計２６個のフレームデータで１セクタデータが構成され、２６フレームデータが偶数フレーム、奇数フレームに区分けされて２列×１３行のデータ配列が構成される。
【手続補正２】
【補正対象書類名】明細書
【補正対象項目名】０００７
【補正方法】変更
【補正の内容】
【０００７】
一方、記録アドレス情報においては、３ビットのＬＰＰ信号が、例えば、「１、０、０」→「０」、「１、０、１」→「１」のように、予め設定される変換テーブルに従って１ビットのデータに変換され、フレーム０、または、フレーム１を除く１２フレームで１２ビットのデータを構成する。そして、この１２ビットデータがディスク上のトラック情報や記録アドレス情報を示すデータとなる。